(57)【特許請求の範囲】
【請求項１】
穴部を介し互いに距離を隔てて同一面内に設けられコネクタを実装する二つのコネクタ実装領域と、これらの実装領域を繋ぎ折り曲げられる連絡部と、を有する電気基板と、
上記電気基板の一方のコネクタ実装領域に実装された第１のコネクタと、
上記電気基板の他方のコネクタ実装領域に実装された第２のコネクタと、
上記第１のコネクタと接続される接点群を有する第１の挿入電気基板と、
上記第２のコネクタと接続される接点群を有する第２の挿入電気基板と、
を具備しており、
上記電気基板は上記連絡部で折り曲げられて第１及び第２のコネクタが積層構造に配置され、第１及び第２のコネクタに第１及び第２の挿入電気基板の接点群を接続する際に第１及び第２の挿入電気基板の少なくともいずれか一方は接点群を上記連絡部の折り曲げの方向に上記穴部を通過させて対応する第１及び第２のコネクタの少なくともいずれか一方に接続させる、
ことを特徴とする電子機器。
【発明の詳細な説明】
【０００１】
【発明の属する技術分野】
本発明は、電気基板と、電気基板に実装されたコネクタと、コネクタと接続された挿入電気基板と、を具備した電子機器に関する。
【０００２】
【従来の技術】
近年の基板接続装置に関する技術としては、例えば特開平１０−１７７２０３号公報に電気部品をカメラに実装する為の一例が教示されている。この例では、硬質プリント基板をカメラに実装した構造が提案されており、電気的接続のために大きな平面部上に複数のコネクタを用いることを教示している。
このような従来の実装技術は広範な電気機器に利用されている。
【０００３】
【発明が解決しようとする課題】
しかしながら、プリント基板を機器内に組み込む場合、上述したコネクタ接続部の接続用のコネクタの挿入口は、その前部に大きな空間を必要とするので、このようなコネクタ接続部が実装基板の縁部近傍に配列されたり、実装基板の中央に配置されると、その基板の中央には大きな空間が必要となる。
したがって、複数のコネクタを基板上に実装しようとすると、その為にだけでも大きな余分な空間を必要としたり、自由なコネクタの配置が制限されるという不都合があった。また、帯状の平ケーブルが別途必要としたり、それらのケーブルの取り廻しが煩雑になる等に起因して、電子機器本体内部が複雑化し、接触不良の発生や、保守点検等にも支障をきたすという不具合も生じやすかった。
【０００４】
そこで本発明の目的は、余分な空間を必要とせずに、基板同士を電気的に接続する電子機器を提供することにある。
【０００５】
【課題を解決するための手段】
上記課題を解決し目的を達成するため、本発明では、
穴部を介し互いに距離を隔てて同一面内に設けられコネクタを実装する二つのコネクタ実装領域と、これらの実装領域を繋ぎ折り曲げられる連絡部と、を有する電気基板と、
上記電気基板の一方のコネクタ実装領域に実装された第１のコネクタと、
上記電気基板の他方のコネクタ実装領域に実装された第２のコネクタと、
上記第１のコネクタと接続される接点群を有する第１の挿入電気基板と、
上記第２のコネクタと接続される接点群を有する第２の挿入電気基板と、
を具備しており、
上記電気基板は上記連絡部で折り曲げられて第１及び第２のコネクタが積層構造に配置され、第１及び第２のコネクタに第１及び第２の挿入電気基板の接点群を接続する際に第１及び第２の挿入電気基板の少なくともいずれか一方は接点群を上記連絡部の折り曲げの方向に上記穴部を通過させて対応する第１及び第２のコネクタの少なくともいずれか一方に接続させる、
ことを特徴とする電子機器を提案する。
【０００７】
【発明の実施の形態】
以下に、実施形態とその変形例を挙げて本発明の要旨について詳しく説明する。図１には、本発明の一実施形態としての基板接続装置の実装構造を斜視図で示す。ここに例示する基板接続装置は、複数の複数接点を有するコネクタを単一の電気基板上に有する「コネクタ基板」と称する電気基板１０であり、図示のような第１コネクタ２１と第２コネクタ２２とを備えて成るフレキシブルプリント基板（ＦＰＣ）である。尚、このコネクタ基板という名称は、複数のコネクタ部材をその基板端部に実装していることに由来するものであるが、メイン基板などの一部分を指すものでもよい。
【０００８】
第１コネクタ２１および第２コネクタ２２の内部にはそれぞれコネクタ内接点群２１ａ，２２ａが並設されており、図示しない電子機器（例えばカメラ）本体の他の部位から延びた異なる電気基板としての第１挿入基板３１および第２挿入基板３２がそれぞれ第１コネクタ２１の挿入口２１ｂと第２コネクタ２２の挿入口２２ｂに矢印の方向に差し込み挿入、接続可能に構成されている。
【０００９】
第１挿入基板３１および第２挿入基板３２のそれぞれの端部には、接点群３１ａ，３２ａと共に、この接点群に表裏の関係で補強板としての裏打ち板３１ｂ，３２ｂがそれぞれ付設されており、これら挿入基板の端部を平面部を剛性化して挿入操作が容易になるように構成されている。
【００１０】
またこの基板接続装置（コネクタ基板）は、所定の基台５０の上で第１コネクタ２１および第２コネクタ２２の２つの接続用部材が鉛直方向に互いに重なった状態になるように、一方が１８０°反転して折り曲げられ他方の上に実装され、第１挿入基板３１および第２挿入基板３２と接続可能な図示の如くの二段の積層構造に配設されている。
また、基台５０の側面に突設されたボス１９ａ，１９ｂに係止されるように、中央に設けられた後述の島部１５が９０°下方に折り曲げられる。
【００１１】
コネクタ内接点群２１ａ，２２ａを構成して連設されている各接点端子は、そのコネクタ内部に差し込まれる第１、第２挿入基板３１，３２に対する可動接点を成し、一方、コネクタ外部に延びた部分はコネクタリード群１８ａ，１８ｂとして、コネクタ基板１０の所定の回路パターンにそれぞれ接続している。コネクタリード群１８ａ，１８ｂと所定の回路端部のランドパターン群１７ａ，１７ｂとは、はんだ付け又は導電性テープで接続される。また、第１コネクタ２１と第２コネクタ２２とを積層状態で固定する必要がある場合は、接着剤もしくは両面テープ等を用いて接合してもよい。
【００１２】
コネクタ基板１０が１８０°反転して、後述の第１連絡部１１ａと後述の第２連絡部１１ｂとが所定の曲率にカーブされたとき、後述の第１コネクタ２１用の第１のコネクタ実装領域１２ａと、後述の第２コネクタ２２用の第２のコネクタ実装領域１２ｂは、鉛直方向に対面した状態で配置される。そしてコネクタ実装領域１２ａには第１コネクタ２１が実装され、コネクタ実装領域１２ｂには第２コネクタ２２が実装されるようになっている（詳細後述）。
【００１３】
図２には、この実施形態の基板接続装置をカメラ内に実装する以前の状態のその基板の外観を斜視図で示し、具体的に説明すると、この基板接続装置（コネクタ基板）は、図示の如く平面状に広がるフレキシブルプリント基板をベースにして、第１コネクタ２１のコネクタ内接点群２１ａと、第２コネクタ２２のコネクタ内接点群２２ａを図示の如く対峙させて配置したもので、その間には、逆「コ」字形状に切り欠いて形成された穴部１３があり、この穴部１３に隣接した中央部には矩形に形成された島部１５が設けられている。この島部１５には、回路に必要な電気素子６０やその他の各種の素子が実装され、また前述した基台５０のボス１９ａ，１９ｂに留めておく為の２つの係止用穴部１５ａ，１５ｂが並設されている。
【００１４】
穴部１３に隣接した両側には連絡部１１ａ，１１ｂが設けられ、第１コネクタ２１用の実装領域１２ａと第２コネクタ２２用の実装領域１２ｂが連絡されている。これらの連絡部１１ａ，１１ｂは円弧状に容易に折り曲げられる柔軟性をもち、図１に示したようなコネクタ同士の重ね合せに支障のないようになっている。第１コネクタ２１から外に突設されているコネクタリード群１８ａは、コネクタ基板１０上のランドパターン群１７ａに電気的に接続され、同様に、第２コネクタ２２の各コネクタリード群１８ｂはコネクタ基板１０上のランドパターン群１７ｂに電気的に接続される。
【００１５】
図３は、図２の基板接続装置のそれぞれの実装領域を示すために、平面状に展開したものである。この実施形態の基板接続装置としてのコネクタ基板１０は、第１コネクタ２１および第２コネクタ２２の２つのコネクタのため図示のようにコネクタ実装領域１２ａ，１２ｂを、島部１５と逆コ字形状の穴部１３を介して対峙する位置に設けている。
すなわち、コネクタ基板１０に逆コ字形状に切り欠いて形成された穴部１３が三方から囲む島部１５は、第１コネクタ２１用の第１のコネクタ実装領域１２ａに隣接し、基台５０側面にこの島部１５を係止しておく為の２つの係止用穴部１５ａ，１５ｂが開けられている。
【００１６】
（作用効果１）
この実施形態によれば、複数のコネクタを同一な基板上に実装するとき、これらを重ねられるように構成している。つまり、複数のコネクタ部材が積層構造を成すように配置している。このように配置したことで、例えばこの実施形態におけるコネクタ基板１０をカメラ本体に組み込むと、第１コネクタ２１および第２コネクタ２２という２つのコネクタが背中合せに隣接した「背面接合」状態で鉛直方向に積み重なっているので、平面的な従来のＦＰＣの実装構造で必要とされた余分な空間が不要となり、省スペースにて異なる基板同士、および基板と接続端子との電気的接続を可能にすることができる。
【００１７】
また、第１コネクタ２１と第２コネクタ２２の間の穴部１３をできるだけ狭くするためにも、逆コ字形状のスリットに形成すると共に、これに隣接し中央の島部１５にも各種の電気素子を実装できるようにしたことで、ここを利用してコネクタに近い位置にも回路を配置でき、コネクタ基板１０自体が保有する実装総面積を有効に利用できる。よって、実質的な実装領域の拡大に寄与できる。
【００１８】
特にこの積層構造は、電子機器の内部において水平方向のスペースがあまりとれない場合に適し、鉛直方向にあるスペースを有効利用して、この例のようなコネクタ基板１０を組み入れることができるものである。
【００１９】
上述の実施形態は、次のように複数の形態に変形実施することができる。
（変形例１）
図４には、上述の実施形態の変形例１としての基板接続装置（コネクタ基板）の実装構造を斜視図で示す。ここに図示されたコネクタ基板１０の構造もまた、例えばカメラ内に収納された状態での実装構造であり、第１コネクタ２１および第２コネクタ２２の２つのコネクタ部材が鉛直方向に積層され、互いに背面接合状態で隣接して積み重なっている。そしてこれらのコネクタ内接点群２１ａ，２２ａには、他の電気基板としての第１挿入基板３１と第２挿入基板３２が図示の如くそれぞれ接続可能に構成されている。
【００２０】
ただしこの例における連絡部１１は１つのみ設けられ、ここで１８０°反転して所定の曲率に屈曲されたとき、第１コネクタ２１用の第１のコネクタ実装領域１２ａと、第２コネクタ２２用の第２のコネクタ実装領域１２ｂが対面した状態で鉛直方向に配置される。
【００２１】
図５に、この変形例１の基板接続装置の外観を斜視図で示すと、コネクタ基板１０を平面状に展開した状態では、このコネクタ基板１０はＬ字形状を成し、このＬ字状の部分に第１コネクタ２１を実装してあり、このＬ字の角近傍の連絡部１１を介して第１コネクタ２１と第２コネクタ２２がその挿入口を同じ向きに向けて横に並列（直線上に）に配列されている。そして第１、第２コネクタのそれぞれのコネクタ内接点群２１ａ，２２ａに、水平に２つの第１、第２挿入基板３１，３２がそれぞれ挿入されるように構成される。
【００２２】
これら第１挿入基板３１と第２挿入基板３２のそれぞれの端部に設けられた接点群３１ａ，３２ａと、その端部裏面にそれぞれ設けられた裏打ち板（補強板）３１ｂ，３２ｂが、それぞれ同じ向きになる。但しこの例では前述のような島部は設けずに、基板接続装置としてできるだけ単純な形状にしている。
【００２３】
このように変形例１によれば、簡単でしかも確実な実装が可能となり、しかも、余分な空間をもてないより小型の電子機器のコンパクト化においても有益となる。その結果、前述の実施形態と比較して同等またはそれ以上の効果が期待できる。
【００２４】
（変形例２）
また、次のように変形実施してもよい。例えば図６には、実施形態の変形例２としての基板接続装置の実装構造を斜視図で示す。この変形例２におけるコネクタ基板１０は、２つの連絡部１１ａ，１１ｂを長手方向に充分に長く延設し、２つの第１，第２コネクタ２１，２２を積層状態にするときの連絡部１１ａ，１１ｂの折り曲げを、その折り曲げ形状がＳ字状になるように構成したものである。そして同様に、これら２つのコネクタ２１，２２のコネクタ内接点群（２１ａ，２２ａ）に水平に２つの第１、第２挿入基板３１，３２が図示の如くそれぞれ挿入される。
【００２５】
この変形例２の基板接続装置の外観を図７に斜視図で示すと、コネクタ基板１０を平面状態に展開した状態では、コネクタ基板１０の長手方向（縦方向）には、第１コネクタ２１と第２コネクタ２２が広い矩形を成す穴部１３を間に介在させて、同じ方向を向いて長手方向に配置されている。但しこの例でも前述のような島部は設けず、基板接続装置として単純な形状に形成している。
【００２６】
また、第１、第２挿入基板３１，３２のそれぞれの端部に設けられた接点群３１ａ，３２ａは同じく上方を向き、裏打ち板３１ｂ，３２ｂはそれぞれ同じ下向きになる。
【００２７】
この変形例２により上記コネクタ基板１０は、実施形態および変形例１と同等またはそれ以上の効果が期待できる。特に、２つの連絡部１１ａ，１１ｂを長手方向に充分に長く設けたことで、例えば組立時にコネクタ間の距離を大きくとる必要がある場合や、実装後に何らかの実装箇所の変更があり得る場合などに便利になる。
【００２８】
（変形例３）
またコネクタ部材の個数を更に増やして次のように変形実施してもよい。この一例を図８に変形例３として斜視図で示すと、この例は、第１コネクタ２１、第２コネクタ２２および第３コネクタ２３という３つの同型・同サイズのコネクタ部材を、コネクタ基板１０において三段に積層させた構造のものである。これら３つのコネクタ２１，２２，２３のコネクタ内接点群２１ａ，２２ａ，２３ａには、他の回路部との相互接続の為の３つの第１、第２、第３挿入基板（不図示）が挿入可能になっている。そして、挿入する３つの第１、第２、第３挿入基板には、表裏の関係で接点群３１ａ，３２ａ，３３ａと裏打ち板（補強板）３１ｂ，３２ｂ，３３ｂがそれぞれ設けられている。
【００２９】
図９（ａ），（ｂ）にはこの変形例３の基板接続装置の展開した状態を示す。図９（ａ）の斜視図が示すように、コネクタ基板１０の長手方向に第１コネクタ２１と第２コネクタ２２が、その基板挿入口同士が対面するように配置され、第３コネクタ２３は第２コネクタ２２と同じ方向を向いて縦列配置されている。
【００３０】
図８の積層構造を実現するため、折り曲げのための第１連絡部１１ａとこれより長い第２連絡部１１ｂが設けられている。
【００３１】
第１コネクタ２１と第２コネクタ２２とは穴部１３ａを介して対峙した位置に設けられ、一方、この第２コネクタ２２と第３コネクタ２３とは同じ方向を向いて穴部１３ｂを介して設けられている。これら穴部１３ａと穴部１３ｂは連続して略「６」字形状を成している。
【００３２】
図９（ｂ）に図８のコネクタ基板１０の各領域を展開図で示すと、このコネクタ基板１０が３つのコネクタ部材を実装していることにより、第１、第２コネクタ２１，２２の為の２つの実装領域１２ａ，１２ｂ以外に、第３コネクタ２３の為の第３実装領域１２ｃを有する。すなわち、これら３つの第１、第２、第３コネクタ２１，２２，２３の配置では、第１連絡部１１ａが第２コネクタ２２を実装する為のコネクタ実装領域１２ｂに連絡を行なう部位となり、第２連絡部１１ｂが第３コネクタ２３を実装する為のコネクタ実装領域１２ｃに連絡を行なう部位となる。
【００３３】
よって変形例３によるこの積層構造は、特にコネクタ部材を３つ必要とする場合に有効である。そのほか、前述の実施形態と同等な効果が得られる。
【００３４】
（変形例４）
前述した実施形態は更に次のように変形実施してもよい。例えば図１０には、変形例４としての基板接続装置の実装構造を斜視図で示しており、大きさの異なる大小３つのコネクタを混在して有するコネクタ基板１０の一例である。
【００３５】
この例は、例えば第１コネクタ２１を大きなサイズのコネクタとして、第２コネクタ２２や第３コネクタ２３の小さいサイズのコネクタの二倍以上の幅を有している。一方、同型の小コネクタである第２コネクタ２２と第３コネクタ２３とをその第１コネクタ２１の上に並設して二段の積層構造にするものである。
【００３６】
すなわち、これら３つのコネクタ２１，２２，２３のコネクタ内接点群２１ａ，２２ａ，２３ａは、コネクタ基板１０の端部に二段に並び、他の回路部との相互接続の為の大小３つの第１、第２、第３挿入基板（不図示）がその上下の接点群を対面させて挿入可能になっている。
【００３７】
また、図１１（ａ），（ｂ）にこの変形例４のコネクタ基板１０を示し、図１１（ａ）はコネクタ基板１０の外観を斜視図で示し、図１１（ｂ）は図１０のコネクタ基板１０が有する各実装領域を展開図で示している。コネクタ基板１０の平面形状は、この基板１０の長手方向に延びる中心線に対して左右対称に形成されている。すなわち、略Ｔ字形状の穴部および長手方向にその中心線に沿って切り欠いたスリットによって、第１コネクタ２１のコネクタ内接点群２１ａに対し、第２、第３コネクタ２２，２３のコネクタ内接点群２１ｂ，２１ｃを対面させるように配置している。
【００３８】
第１の島部１６ａにはコネクタ実装領域１２ｂを有し、第２の島部１６ｂにはコネクタ実装領域１２ｃを有する。但しこの例でも、穴部の中央には電気要素を実装するための前述の島部は設けていない。
【００３９】
第１〜第３コネクタ２１〜２３のために設けた３つのコネクタ実装領域１２ａ，１２ｂ，１２ｃを有する場合、第１連絡部１１ａが第２コネクタ２２を実装する為のコネクタ実装領域１２ｂに連絡を行なう部位となり、第２連絡部１１ｂが第３コネクタ２３を実装する為のコネクタ実装領域１２ｃに連絡を行なう部位となる。
【００４０】
この変形例４によれば、回路が大きな場合（即ち配線数の多い場合）は大きな第１コネクタ２１を適用し、回路が比較的小さい場合（即ち配線数が少ない場合）は第２コネクタ２２や第３コネクタ２３の小さいコネクタを適用できる。まそのほかにも、前述の実施形態と同等な効果が期待できる。
【００４１】
（変形例５）
さらに次のように変形実施してもよく、前述の実施形態や変形例１または変形例３と同等な効果が得られる。
図１２に、変形例５としてのコネクタ基板１０の実装構造を斜視図で示すと、コネクタ基板１０は、同型の３つのコネクタ（第１〜第３コネクタ２１〜２３）を三段に積層した構造であり、折り曲げられる連絡部（第１連絡部１１ａ及び第２連絡部１１ｂ）は、これらのコネクタ２１〜２３の一側面に隣接して設けられているものである。
【００４２】
また図１３に、変形例５のコネクタ基板１０の外観を斜視図で示すと、コネクタ基板１０の平面形状は、この基板１０の長手方向に延びる中心線に対しては非対称に形成され、連絡部１１ａ，１１ｂが実質的に連続して設けられたものである。連絡部１１ａは第２コネクタ２２および第３コネクタ２３への連絡に用いられ、連絡部１１ｂは第３コネクタ２３への連絡のみに用いられる。
【００４３】
以上の各例の基板接続装置（コネクタ基板）の電子機器への具体的な実装例として、図１４の斜視図に、本発明に係わるコネクタ基板１０を搭載したカメラについて、外装部材を取り付ける以前の外観を示す。このカメラは、例えば電気素子６０，６１と、ＩＣ６２，６３若しくはその他の電気部品を実装して成る複数のフレキシブルプリント基板を、互いに前述のコネクタ基板１０や所定の挿入基板３１，３２等を介して接続させた状態で基台５０上に搭載、積載すると共に、撮影に直接係わるファインダユニット７０や撮影レンズ８０、或いはその他のユニットを内蔵してカメラ本体１００を形成している。
【００４４】
詳しくは、第１、第２コネクタ２１，２２を有しそれぞれが第１、第２挿入基板３１，３２と接続可能な二段積層構造を有するような前述の実施形態で説明済みの基板と、同様に、第１、第２コネクタ２１’，２２’を有してそれぞれが第１、第２挿入基板３１，３２それぞれから連続して形成された挿入部３１’，３２’と接続可能な二段積層構造を有する変形例１で説明済みの基板とが、カメラ本体１００の第１の実装部２０および第２の実装部２０’にそれぞれ組み込まれている。
【００４５】
このような複数種類のコネクタ基板の電子機器への利用により、機器内部の僅かな隙間に複数段に積層したコネクタ群を整列させた状態で組み込むことが可能となり、平面的な大きなスペースを必要とせず、従来のような平ケーブル等の捩じれや取廻し等による煩雑さが軽減される。また、個々の隙間に対応するように、例示の実施形態や各変形例のコネクタ基板を適宜組み合せて用いれば、小型の電子機器内部の僅かな隙間にも整然としたコネクタ接続が可能となると共に、その電子機器の筐体を大型化せずにスペースの効率的な各種の電気基板の組込みを可能にする。
【００４６】
（その他の変形例）
なお、コネクタ基板の平面形状やサイズ、この基板上に実装されるコネクタの向きおよびその個数などは、例示した以外にも適宜に変形実施してもよい。
また、ここに説明として用いた電子機器は小型のカメラであったが、本発明のコネクタ基板１０はその他の電子機器にも同様に適用可能である。このほかにも、本発明の要旨を逸脱しない範囲で種々の変形実施が可能である。
【００４７】
以上、実施形態と複数の変形例に基づき説明したが、本明細書中には次の発明が含まれる。
（１）  単一の電気基板上に、基板同士を接続する複数のコネクタを積層した基板接続装置を有したことを特徴とするカメラを提供できる。
【００４８】
（２）  電気基板と、
上記電気基板に実装された第１のコネクタと、
上記電気基板に実装された第２のコネクタと、
を有して、
上記電気基板を折り曲げ、上記２つのコネクタを重ねて配置した基板接続装置を有したことを特徴とするカメラを提供できる。
【００４９】
（３）  電気基板と、
上記電気基板に実装された第１のコネクタと、
上記電気基板に実装された第２のコネクタと、
上記第１のコネクタと接続された第１の挿入電気基板と、
上記第２のコネクタと接続された第２の挿入電気基板と、
を有して、
上記電気基板を折り曲げ、上記２つのコネクタを重ねて配置した基板接続装置を有したことを特徴とするカメラを提供できる。
【００５０】
（４）  複数コネクタを積み重ねて一体に構成されるコネクタ基板であって、
上記コネクタ基板は、折り曲げて機器内部に組み込まれることを特徴とする基板接続装置を提供できる。
【００５１】
【発明の効果】
以上、本発明によれば、余分な空間を必要とせずに、基板同士を電気的に接続可能な電子機器を提供することができる。
【図面の簡単な説明】
【図１】図１は、この発明の一実施形態としての基板接続装置の実装構造を示す斜視図。
【図２】図２は、該実施形態の基板接続装置の外観を示す斜視図。
【図３】図３は、図２の基板接続装置の領域を示す平面展開図。
【図４】図４は、該実施形態の変形例１としての基板接続装置の実装構造を示す斜視図。
【図５】図５は、この変形例１の基板接続装置の外観を示す斜視図。
【図６】図６は、該実施形態の変形例２としての基板接続装置の実装構造を示す斜視図。
【図７】図７は、この変形例２の基板接続装置の外観を示す斜視図。
【図８】図８は、該実施形態の変形例３としての基板接続装置の実装構造を示す斜視図。
【図９】  図９（ａ），（ｂ）は変形例３の基板接続装置を示し、図９（ａ）は、この基板接続装置の外観を示す斜視図、図９（ｂ）は、図８の基板接続装置の領域を示す平面展開図。
【図１０】図１０は、該実施形態の変形例４としての基板接続装置の実装構造を示す斜視図。
【図１１】  図１１（ａ），（ｂ）は変形例４の基板接続装置を示し、図１１（ａ）は、この基板接続装置の外観を示す斜視図、図１１（ｂ）は、図１０の基板接続装置の領域を示す平面展開図。
【図１２】図１２は、該実施形態の変形例５としての基板接続装置の実装構造を示す斜視図。
【図１３】図１３は、変形例５の基板接続装置の外観を示す斜視図。
【図１４】図１４は、本発明の基板接続装置を搭載したカメラの外観を示す斜視図。
【符号の説明】
１０…電気基板（コネクタ基板）、
１１…連絡部、
１１ａ…第１連絡部、
１１ｂ…第２連絡部、
１２…実装領域、
１２ａ，１２ｂ，１２ｃ…コネクタ実装領域、
１３…穴部、
１５…島部（中央島部）、
１５ａ，１５ｂ…係止用穴部、
１６ａ…第１の島部、
１６ｂ…第２の島部、
１７ａ，１７ｂ，１７ｃ…ランドパターン群、
１８…コネクタリード、
１９ａ，１９ｂ…ボス、
２０…第１の実装部、
２１…第１コネクタ、
２１ａ，２１ｂ…コネクタ内接点群、
２２…第２コネクタ、
２３…第３コネクタ、
３１…第１挿入基板（電気基板）、
３１ａ，３２ａ，３３ａ…接点群、
３２…第２挿入基板（電気基板）、
３１ｂ，３２ｂ，３３ｂ…裏打ち板（補強板）、
３３…第２挿入基板（電気基板）、
５０…基台、
６０，６１…電気素子、
６２，６３…ＩＣ、
７０…ファインダユニット、
８０…撮影レンズ、
１００…カメラ本体。
【図１】
0004503755.tif 000002
【図２】
0004503755.tif 000003
【図３】
0004503755.tif 000004
【図４】
0004503755.tif 000005
【図５】
0004503755.tif 000006
【図６】
0004503755.tif 000007
【図７】
0004503755.tif 000008
【図８】
0004503755.tif 000009
【図９】
0004503755.tif 000010
【図１０】
0004503755.tif 000011
【図１１】
0004503755.tif 000012
【図１２】
0004503755.tif 000013
【図１３】
0004503755.tif 000014
【図１４】
0004503755.tif 000015